(57)【特許請求の範囲】
【請求項１】
壁紙糊付機本体で、壁紙の裏面に、糊を自動的に塗布し、壁紙の糊付面が乾燥しないように、フィルムを糊付面に貼り付けた状態で、巻き取り装置で壁紙をロール形状に巻き取るための壁紙糊付巻き取り機であって、
前記巻き取り装置で壁紙をロール形状に巻き取る際に、巻き取り装置で巻き取られる壁紙の巻き取り原反ロールの壁紙の表面に対して、押圧しながら従動回転する押圧従動部を有する巻き取りアシスト装置を備え、
前記巻き取りアシスト装置の押圧従動部の移動量の方が、巻き取り原反ロールの回転量よりも多くなるように、押圧従動部の回転関係を設計しておき、
前記巻き取りアシスト装置の押圧従動部が、押圧従動部に対して、一定以上の回転負荷がかかると、押圧従動部を駆動する駆動部に対して、空回りするように構成されていることを特徴とする壁紙糊付巻き取り機。
【請求項２】
前記巻き取りアシスト装置が、巻き取られる壁紙の表面に対して、押圧従動部を離接することができる離接機構を備えていることを特徴とする請求項１に記載の壁紙糊付巻き取り機。
【請求項３】
前記巻き取りアシスト装置の押圧従動部が、巻き取り装置で壁紙をロール形状に巻き取る際に、巻き取られる壁紙に対して、押圧しながら従動するアシストベルトであることを特徴とする請求項１から２のいずれかに記載の壁紙糊付巻き取り機。
【請求項４】
前記巻き取りアシスト装置の押圧従動部が、巻き取り装置で壁紙をロール形状に巻き取る際に、巻き取られる壁紙に対して、押圧しながら従動するアシストローラーであることを特徴とする請求項１から３のいずれかに記載の壁紙糊付巻き取り機。
【請求項５】
前記離接機構が、巻き取られる壁紙の表面に対して、押圧従動部を旋回するように離接することができる旋回離接機構を備えていることを特徴とする請求項２に記載の壁紙糊付巻き取り機。
【請求項６】
前記離接機構が、巻き取られる壁紙の表面に対して、押圧従動部を側方から離接することができる側方離接機構を備えていることを特徴とする請求項２または５のいずれかに記載の壁紙糊付巻き取り機。
【発明の詳細な説明】
【技術分野】
【０００１】
本発明は、壁紙（クロス）の裏面に、例えば、天井、壁面に貼着するための糊を、自動的に塗布し、壁紙の糊付面が乾燥しないように、フィルムを糊付面に貼り付けた状態で、ロール形状に巻き取るための壁紙糊付巻き取り機に関する。
【背景技術】
【０００２】
従来より、内装の施工において、壁紙施工については、新築、リフォームなどの場合に、専門の内装施工業者が、施工現場に専用の壁紙糊付機を持ち込んで、壁紙糊付機を用いて壁紙の裏面に糊付けをして、施工する場合が多い。
【０００３】
しかしながら、昨今、ＤＩＹがブームとなっており、例えば、ホームセンター、ＤＩＹショップ、インターネットショップなどにおいて、壁紙販売コーナーを設けて、何種類かの壁紙の販売や、壁紙施工に必要な工具、糊、パテなどの壁紙施工に必要な副資材の販売も行われている。
【０００４】
ところで、このような、従来、ホームセンター、ＤＩＹショップ、インターネットショップなどで販売されている壁紙は、壁紙の裏面である糊付面が、水で活性化するというタイプの再湿性の壁紙や、ステッカーやシールのように糊付面に貼着した離型紙を剥がして、シール面を貼り付けるタイプの壁紙などが多かった。
【０００５】
しかしながら、これらのタイプの壁紙は、一度貼付した後に、もう一度剥がして位置をずらしたりすることがほとんどできないタイプの壁紙である。
【０００６】
従って、これらのタイプの壁紙を用いる場合には、壁紙の位置合わせが非常に難しく、慎重に位置決めして、気を使いながら、シワなども発生しないように施工しなければならず、施工性が悪いものであった。
【０００７】
これに対して、内装施工業者が使用している澱粉糊は、施工途中で何度か貼り直しをしたり、一度貼り付けてもすぐに剥がして貼付位置を変えたりすることができるので、施工性が良好である。このため、ホームセンター、ＤＩＹショップなどの店頭でも、このような澱粉糊を壁紙に塗布して販売することが行われている。
【０００８】
例えば、５ｍ、１０ｍなどの所定の長さの壁紙に澱粉糊を塗布して、糊付面にカットテープの貼付けと、糊面全体に対して乾燥防止用フィルムを貼り、それを真空パックした状態で箱入りにして販売したりされている。
【０００９】
また、店頭において壁紙の見本帳を置き、購入者に希望する壁紙を選んでもらい、長さや枚数について注文を受け、この注文を１カ所の糊付作業場に集約して糊付を行って、購入者の自宅へ宅配便などで配送するという販売が行われている。しかしながら、宅配便での配送では、購入者の手元には数日してから届くため、購入者にとっては不便であった。
【００１０】
このため、最近では、郊外などに敷地面積の大きなホームセンター、ＤＩＹショップが建てられ、そのような大型店舗では、数十種類から百種類程度の壁紙を展示して、購入者の要望に応じて切り売りしている。すなわち、購入者の要望があれば、店頭で購入者が選んだ壁紙に、糊付料金を追加徴収して糊を塗布することが行われている。
【００１１】
このように、店頭で購入された壁紙に糊を塗布するために、内装施工業者が使用する壁紙糊付機が使用されたりしている。すなわち、店内で切り売りした壁紙に糊を塗布し、必要に応じ長さ方向に切断し、糊の塗布された面同士を合わせるように折りたたみ、袋に入れて購入者に渡されている。
【００１２】
しかしながら、このような袋は、必ずしも密閉されているわけではないため、壁紙の端部から乾燥していくために、壁紙はその日のうちに使用する必要があった。
【００１３】
このため、糊の付いた壁紙を、数日から一週間程度保管を可能にするには、糊付面全面に対して、乾燥防止用フィルムを貼り、密閉した袋に入れることが必要であり、顧客のニーズに応えるため、図７に示したような構造の壁紙糊付巻き取り機２００を使用しているホームセンターなどがある。
【００１４】
すなわち、図７に示したように、従来の壁紙糊付巻き取り機２００は、壁紙Ａの糊付面に乾燥防止用フィルムＢを貼着した状態で、壁紙Ａをロール形状に巻き取るためのものである。
【００１５】
図７に示したように、壁紙糊付巻き取り機２００は、底部に移動用キャスター２０２が設けられた架台フレーム２０４を備えている。そして、この架台フレーム２０４の略中央部分の中央フレーム２０６に、従来から知られている自動壁紙糊付機と同様な構造を備えた壁紙糊付機本体２０８が、載置するように設けられている。
【００１６】
一方、架台フレーム２０４の壁紙糊付機本体２０８の後方側の後方フレーム２１０の上部には、壁紙Ａの壁紙原反ロール２１２が、繰り出し可能に、かつ、脱着自在に装着されている。
なお、図７に示したように、異なる径の芯棒を使用して壁紙原反ロール２１２を、点線と二点鎖線で示したように、２カ所のうちいずれかに設置することができるように構成されている。
【００１７】
また、架台フレーム２０４の壁紙糊付機本体２０８の前方側の下方フレーム２１１に、乾燥防止用フィルムＢの乾燥防止用フィルム原反ロール２１３が、繰り出し可能に、かつ、脱着自在に装着されている。
【００１８】
また、架台フレーム２０４の壁紙糊付機本体２０８の下方の下方フレーム２１５に、カットテープＣのカットテープ原反ロール２２０が、繰り出し可能に、かつ、脱着自在に装着されている。
【００１９】
なお、カットテープＣは、従来から知られている自動壁紙糊付機と同様に、壁紙Ａの左右の端部に貼り付けすることができるように、架台フレーム２０４の下方フレーム２１５の両側に、それぞれ設けられている構成となっている。
【００２０】
また、架台フレーム２０４の前方側の前方フレーム２２２の上部には、巻き取り装置２２４が設けられている。
【００２１】
この巻き取り装置２２４は、後述するように、壁紙糊付巻き取り機２００の壁紙糊付機本体２０８を通過することによって、壁紙Ａの裏面Ｄに糊が塗布され、乾燥防止用フィルムＢ、カットテープＣが、壁紙Ａの裏面Ｄの糊付け面に貼着された壁紙Ａを、手動または自動で、巻き取るように構成されている。なお、図７では、手動ハンドルＨを示している。
【００２２】
また、壁紙糊付機本体２０８は、従来から知られている自動壁紙糊付機と同様な構成となっており、図７に示したように、上部が開放した状態の略箱体形状の本体フレーム２２６を備えている。
【００２３】
この本体フレーム２２６は、図７に示したように、上部フレーム２２８と、下部フレーム２３０とから構成されている。そして、上部フレーム２２８の上部には、左右方向に離間して配置された一対の把手２２１を備えている。
【００２４】
この把手２２１を把持して操作することによって、後述するように、壁紙Ａを壁紙糊付機本体２０８に配置したり、メンテナンスのために、下部フレーム２３０に対して、図示しないピボット軸を回動中心として、図７の矢印及び２点鎖線で示したように、開閉可能なように構成されている。
【００２５】
なお、図７に示したように、上部フレーム２２８と、下部フレーム２３０には、上部フレーム２２８を下部フレーム２３０に対して閉じた状態で固定するために、例えば、いわゆる「パチン錠」などの係止具２３２が設けられている。
【００２６】
壁紙原反ロール２１２から送り出された壁紙Ａは、案内ローラー２１４を介して、送り出しローラー２１６と、検尺ローラー２１８との間に挟持されるように搬送される。
【００２７】
また、送り出しローラー２１６は、下部フレーム２３０の左右の側板部に回転可能に装着されているとともに、図示しない、複数の歯車機構を介して、駆動部の駆動モーターの駆動が伝達されるように構成されている。
【００２８】
そして、壁紙Ａの裏面Ｄが、送り出しローラー２１６に当接するとともに、検尺ローラー２１８が、壁紙Ａの表面Ｅに当接して、送り出しローラー２１６により搬送される壁紙Ａに従動して回転するように構成されている。
【００２９】
このように、送り出しローラー２１６と、検尺ローラー２１８との間に挟持されるように搬送された壁紙Ａは、図７に示したように、壁紙Ａの裏面Ｄに対して、糊を塗布する糊付装置２３１に搬送される。
【００３０】
この糊付装置２３１では、壁紙Ａの表面Ｅが、ハイテンションローラー２３４に当接するように壁紙Ａが通過するとともに、壁紙Ａの裏面Ｄが、糊付ローラー２３６と接触するように構成されている。
【００３１】
また、図７に示したように、糊付ローラー２３６と接触するように、糊付ローラー２３６の下方側に、糊上ローラー２３８が設けられており、糊収容タンク（糊箱）２２５に収容した糊を糊上ローラー２３８から、糊付ローラー２３６に転写するように構成されている。
なお、糊収容タンク（糊箱）２２５は、図７の二点鎖線で示したように、糊収容タンク２２５内に収容する糊の補充や洗浄するために、糊収容タンク２２５が前方側にスライドして脱着できるように構成されている。
【００３２】
また、糊付ローラー２３６の上流側には、糊付ローラー２３６と当接するように、ドクターローラー２４０が設けられている。このドクターローラー２４０と糊付ローラー２３６との間の距離を調整することによって、糊付ローラー２３６から、壁紙Ａに転写する糊の厚さ（量）が、所定の厚さになるように調整するように構成されている。
【００３３】
さらに、糊付ローラー２３６の下流側には、押えローラー２４２が設けられており、押えローラー２４２が、壁紙Ａの表面Ｅと当接するように構成されている。
【００３４】
また、押えローラー２４２の下流側には、壁紙Ａの裏面Ｄと当接するナラシローラー２４４が設けられている。
【００３５】
このように構成される糊付装置２３１では、送り出しローラー２１６と、検尺ローラー２１８との間に挟持されるように搬送された壁紙Ａは、ハイテンションローラー２３４と押えローラー２４２によって、糊付ローラー２３６に対して、所定のテンションで接触するように構成されている。
【００３６】
そして、糊収容タンク（糊箱）２２５に収容した糊が、糊上ローラー２３８から、糊付ローラー２３６に転写される。この際、ドクターローラー２４０により、壁紙Ａに転写する糊の厚さ（量）が、所定の厚さになるように調整される。
【００３７】
そして、図７に示したように、糊付ローラー２３６によって、壁紙Ａの裏面Ｄに糊が塗布された後、乾燥防止用フィルム原反ロール２１３から繰り出された乾燥防止用フィルムＢが、ナラシローラー２４４の上流側から、壁紙Ａの裏面Ｄの糊付け面に貼着されるように供給される。
【００３８】
また、これと同時に、カットテープ原反ロール２２０から繰り出されたカットテープＣが、ナラシローラー２４４の上流側から、壁紙Ａの裏面Ｄの糊付け面に、壁紙Ａの左右の端部のいずれか一方又は両端に貼着されるように供給される。
【００３９】
このように、壁紙Ａの裏面Ｄに糊が塗布され、乾燥防止用フィルムＢ、カットテープＣが、壁紙Ａの裏面Ｄの糊付け面に貼着された後、ナラシローラー２４４によって、均一の厚さになるように処理される。
【００４０】
そして、ナラシローラー２４４によって、均一の厚さになるように処理された壁紙Ａは、壁紙糊付機本体２０８から排出された後、巻き取り装置２２４によって、手動または自動で、巻き取られるように構成されている。
【００４１】
ところで、このような従来の壁紙糊付巻き取り機２００では、壁紙Ａの壁紙原反ロール２１２が、架台フレーム２０４の後方側の後方フレーム２１０の上部にセットする位置が高い位置にある。
【００４２】
このため、１０ｋｇ〜２０ｋｇ程度の重量がある壁紙原反ロール２１２を、機械の背面側からセットしなければならず、例えば、ホームセンターなどにおいて、特に女性が操作するには、作業性が悪かった。
【００４３】
また、従来の壁紙糊付巻き取り機２００では、壁紙原反ロール２１２をセットする側が壁紙糊付巻き取り機２００の背面側（すなわち、架台フレーム２０４の後方側、図７の右側）である。一方、製品の巻き取り側である、巻き取り装置２２４が、壁紙糊付巻き取り機２００の正面側（すなわち、架台フレーム２０４の前方側、図７の左側）である。
【００４４】
このため、従来の壁紙糊付巻き取り機２００では、糊付作業や巻取作業が、作業面や設置スペース上非効率的な配置であった。
【００４５】
さらに、従来の壁紙糊付巻き取り機２００では、糊を塗布した糊付け面が下向きのため、糊付作業をしている作業者からは、糊の塗布具合やカットテープＣの付き位置の具合、また、乾燥防止用フィルムＢが、気泡が入らずに密着して貼れているかどうかなどの確認ができなかった。
【００４６】
また、従来の壁紙糊付巻き取り機２００では、所定の長さに壁紙Ａの裏面Ｄに糊付けし、乾燥防止用フィルムＢ、カットテープＣの貼付をして巻取した際に、切断するためのガイドなどが特に設けられていない。このため、巻き取り装置２２４と壁紙糊付機本体２０８の間で適当に切断するしかなく、壁紙Ａや乾燥防止用フィルムＢに対して直角にまっすぐ切断することができなかった。
【００４７】
このため、図８に示したように、本出願人は、特許文献１（特許第４３２１７７１号公報）において、このような従来の壁紙糊付巻き取り機２００における課題を解決した壁紙糊付巻き取り機３００を提案した。
【００４８】
すなわち、図８に示したように、特許文献１の壁紙糊付巻き取り機３００は、底部に移動用キャスター３０２が設けられた架台フレーム３０４を備えている。そして、この架台フレーム３０４の略中央部分の中央フレーム３０６に、従来から知られている自動壁紙糊付機と同様な構造を備えた壁紙糊付機本体３０８が、載置するように設けられている。
【００４９】
一方、架台フレーム３０４の前方側の前方フレーム３１０の下方、すなわち、壁紙糊付機本体３０８よりも下方の位置に、壁紙Ａの壁紙原反ロール３１２が、繰り出し可能に、かつ、脱着自在に装着されている。
【００５０】
また、図８に示したように、架台フレーム３０４の壁紙糊付機本体３０８の後方側の後方フレーム３１１に、壁紙糊付機本体３０８よりも下方の位置に、乾燥防止用フィルムＢの乾燥防止用フィルム原反ロール３１３が、繰り出し可能に、かつ、脱着自在に装着されている。
【００５１】
また、架台フレーム３０４の壁紙糊付機本体３０８の下方の下方フレーム３１５に、カットテープＣのカットテープ原反ロール３２０が、繰り出し可能に、かつ、脱着自在に装着されている。
【００５２】
なお、カットテープＣは、従来から知られている自動壁紙糊付機と同様に、壁紙Ａの左右の端部に貼り付けすることができるように、架台フレーム３０４の下方フレーム３１５の両側に、それぞれ設けられている構成となっている。
【００５３】
また、架台フレーム３０４の前方側の前方フレーム３１０の上部には、巻き取り装置３２４が設けられている。
【００５４】
この巻き取り装置３２４は、後述するように、壁紙糊付巻き取り機３００の壁紙糊付機本体３０８を通過することによって、壁紙Ａの裏面Ｄに糊が塗布され、乾燥防止用フィルムＢ、カットテープＣが、壁紙Ａの裏面Ｄの糊付け面に貼着された壁紙Ａを、手動または自動で、巻き取るように構成されている。なお、図８、図９では、手動ハンドルＨを示している。
【００５５】
なお、壁紙糊付機本体３０８は、従来から知られている自動壁紙糊付機と同様な構成となっており、図８に示したように、上部が開放した状態の略箱体形状の本体フレーム３２６を備えている。
【００５６】
この本体フレーム３２６は、図８に示したように、上部フレーム３２８と、下部フレーム３３０とから構成されている。そして、上部フレーム３２８の上部には、左右方向に離間して配置された一対の図示しない把手を備えている。
【００５７】
この把手を把持して操作することによって、後述するように、壁紙Ａを壁紙糊付機本体３０８に配置したり、メンテナンスのために、下部フレーム３３０に対して、図示しないピボット軸を回動中心として、図８の矢印で示したように、開閉可能なように構成されている。
【００５８】
なお、図８に示したように、上部フレーム３２８と、下部フレーム３３０には、上部フレーム３２８を下部フレーム３３０に対して閉じた状態で固定するために、例えば、いわゆる「パチン錠」などの係止具３３２が設けられている。
【００５９】
壁紙原反ロール３１２から送り出された壁紙Ａは、案内ローラー３１４を介して、送り出しローラー３１６と、検尺ローラー３１８との間に挟持されるように搬送される。
【００６０】
また、送り出しローラー３１６は、下部フレーム３３０の左右の側板部に回転可能に装着されているとともに、図示しない、複数の歯車機構を介して、駆動部の駆動モーターの駆動が伝達されるように構成されている。
【００６１】
そして、壁紙Ａの裏面Ｄが、送り出しローラー３１６に当接するとともに、検尺ローラー３１８が、壁紙Ａの表面Ｅに当接して、送り出しローラー３１６により搬送される壁紙Ａに従動して回転するように構成されている。
【００６２】
このように、送り出しローラー３１６と、検尺ローラー３１８との間に挟持されるように搬送された壁紙Ａは、図８に示したように、壁紙Ａの裏面Ｄに対して、糊を塗布する糊付装置３３１に搬送される。
【００６３】
この糊付装置３３１では、壁紙Ａの表面Ｅが、ハイテンションローラー３３４に当接するように壁紙Ａが通過するとともに、壁紙Ａの裏面Ｄが、糊付ローラー３３６と接触するように構成されている。
【００６４】
また、図８に示したように、糊付ローラー３３６と接触するように、糊付ローラー３３６の下方側に、糊上ローラー３３８が設けられており、糊収容タンク（糊箱）３２５に収容した糊を糊上ローラー３３８から、糊付ローラー３３６に転写するように構成されている。
【００６５】
また、糊付ローラー３３６の上流側には、糊付ローラー３３６と当接するように、ドクターローラー３４０が設けられている。このドクターローラー３４０と糊付ローラー３３６との間の距離を調整することによって、糊付ローラー３３６から、壁紙Ａに転写する糊の厚さ（量）が、所定の厚さになるように調整するように構成されている。
【００６６】
さらに、糊付ローラー３３６の下流側には、押えローラー３４２が設けられており、押えローラー３４２が、壁紙Ａの表面Ｅと当接するように構成されている。
【００６７】
また、押えローラー３４２の下流側には、壁紙Ａの裏面Ｄと当接するナラシローラー３４４が設けられている。
【００６８】
さらに、図８に示したように、ナラシローラー３４４の右側には、第１のテーブル３４６が設けられている。第１のテーブル３４６は、壁紙糊付機本体３０８の両側において、テーブルフレーム３４６ａが設けられ、これらのテーブルフレーム３４６ａに、テーブル３４６ｂが、脱着自在に設けられている。
【００６９】
また、図８に示したように、検尺ローラー３１８から糊付ローラー３３６に至る経路の上方には、第２のテーブル３４８が設けられている。
【００７０】
さらに、図８に示したように、壁紙糊付巻き取り機３００には、制御ボックス３５２が設けられており、糊付長さや枚数などの各種の設定や、運転・停止・寸動・割り込みスイッチなどの各操作ができるスイッチが適宜設けられている。
【００７１】
また、フットスイッチ３５４が設けられ、フットスイッチ３５４を作動させると、壁紙糊付機本体３０８の停止が行われるように設定されている。
【００７２】
このように、制御ボックス３５２の停止スイッチとは別に、フットスイッチ３５４が併設されており、フットスイッチ３５４を踏むことにより、任意位置ですばやく機械を停止させることができるように構成されている。
【００７３】
なお、このフットスイッチ３５４を踏むたびに、停止と運転とを繰り返す作動をするようにしても構わない。
【００７４】
このように構成される糊付装置３３１では、概略、以下のように、操作して作動されるようになっている。
【００７５】
先ず、図９に示したように、乾燥防止用フィルムＢとカットテープＣを、ナラシローラー３４４に巻くようにして、壁紙糊付機本体３０８から引き出し、引き出した先端をテープなどで、第１のテーブル３４６に貼り付けておく。
【００７６】
この際、乾燥防止用フィルムＢの先端を、第２のテーブル３４８の左側にあるステー３５０まで引き出してから、第１のテーブル３４６の側へ折り返すように載置しておく。
【００７７】
次に、上部フレーム３２８の係止具３３２（パチン錠）を開放して、上部フレーム３２８を上方に開き、制御ボックス３５２に設けられている割り込みスイッチ（図示せず）を押し、設定されている一定糊付速度で壁紙糊付機本体３０８を作動させる。
【００７８】
このように、壁紙糊付機本体３０８を作動させた状態で、壁紙Ａを壁紙原反ロール３１２から引き出し、図８、図９に示したような経路を通して、糊付ローラー３３６に壁紙Ａの先端を貼り付けるように置く。
【００７９】
そして、送り出しローラー３１６と、検尺ローラー３１８との間に挟持されるように搬送された壁紙Ａは、ハイテンションローラー３３４と押えローラー３４２によって、糊付ローラー３３６に対して、所定のテンションで接触するように構成されている。
【００８０】
そして、糊収容タンク（糊箱）３２５に収容した糊が、糊上ローラー３３８から、糊付ローラー３３６に転写される。この際、ドクターローラー３４０により、壁紙Ａに転写する糊の厚さ（量）が、所定の厚さになるように調整される。
【００８１】
図８に示したように、糊付ローラー３３６によって、壁紙Ａの裏面Ｄに糊が塗布された後、壁紙Ａがナラシローラー３４４側へ搬送される。壁紙Ａの先端を指で持ち、壁紙Ａの先端がナラシローラー３４４を過ぎる位置くらいで、フットスイッチ３５４を作動させて、壁紙糊付機本体３０８の作動を停止させる。この位置で、壁紙Ａの先端を、乾燥防止用フィルムＢへ貼り付ける。
【００８２】
これにより、壁紙Ａの先端に対して、乾燥防止用フィルムＢが、約２０ｃｍ程度長くなった状態で貼り付けられ、カットテープＣが、壁紙Ａの両端の適切な位置へ貼り付いた状態となる。
【００８３】
ここで、第１のテーブル３４６にテープなどで貼り付けられた乾燥防止用フィルムＢとカットテープＣは外しておく。
【００８４】
そして、上部フレーム３２８を閉じて、係止具３３２（パチン錠）で固定し、制御ボックス３５２の入力装置であるテンキー（図示せず）を使用して、顧客の所望の長さを入力して、スタートスイッチ（図示せず）で糊付作業を開始する。
【００８５】
図８に示したように、糊付ローラー３３６によって、壁紙Ａの裏面Ｄに糊が塗布された後、乾燥防止用フィルム原反ロール３１３から繰り出された乾燥防止用フィルムＢが、ナラシローラー３４４の上流側から、壁紙Ａの裏面Ｄの糊付け面に貼着されるように供給される。
【００８６】
また、これと同時に、カットテープ原反ロール３２０から繰り出されたカットテープＣが、ナラシローラー３４４の上流側から、壁紙Ａの裏面Ｄの糊付け面に、壁紙Ａの左右の端部に貼着されるように供給される。
【００８７】
このように、壁紙Ａの裏面Ｄに糊が塗布され、乾燥防止用フィルムＢ、カットテープＣが、壁紙Ａの裏面Ｄの糊付け面に貼着された後、ナラシローラー３４４によって、均一の厚さになるように処理される。
【００８８】
そして、ナラシローラー３４４によって、均一の厚さになるように処理された壁紙Ａは、壁紙糊付機本体３０８から排出された後、巻き取り装置３２４によって、手動または自動で、巻き取られるように構成されている。
【００８９】
なお、この際、購入者が所望する長さ分糊付けされたとき、壁紙糊付機本体３０８が停止する。ここで作業者は、カッターなどで壁紙切断位置Ｘにおいて壁紙Ａを切断する。
【００９０】
そして、壁紙Ａの切断後、割り込みスイッチなどを押して、壁紙Ａの後端が巻き取り装置３２４に巻き取られるまで、壁紙糊付機本体３０８を作動させ、巻取りが完了した時に、フットスイッチ３５４などによって、壁紙糊付機本体３０８の作動を停止させる。
【００９１】
この状態で、作業者が、カッターなどで、第２のテーブル３４８のステー３５０の側端部を、乾燥防止用フィルムＢの切断ガイドとして用いて、乾燥防止用フィルムＢと、カットテープＣを切断する。そして、乾燥防止用フィルムＢの後端を、テープ止めなどして１本のロール状に梱包する。それと同時に、切断されたもう一方の乾燥防止用フィルムＢの先端側をカットテープＣとともに、再び、第１のテーブル３４６へテープなどで仮止めする。
【００９２】
以上で、一つの壁紙Ａの付作業は完了となり、あとは、この手順を繰り返して、必要な枚数分、糊付作業を行うように構成されている。
【００９３】
これにより、糊付作業者は、ホームセンターなどの店内において、糊付されているかどうか、カットテープＣが所定の位置にうまくついているのかどうか、さらに、乾燥防止用フィルムＢが気泡を噛むことなく、壁紙Ａの糊付面にうまく貼り付いた状態になっているかどうかの確認をしながら、糊付巻取作業が可能となる。
【００９４】
そのため、店内において作業する人が、経験の浅いパートの人でも、安心して糊付作業ができるようになる。
【００９５】
また、次の糊付作業のために、乾燥防止用フィルムＢと、カットテープＣの少なくともいずれかを、第１のテーブル３４６に仮止めしておくことで、糊付作業前に乾燥防止用フィルムＢと、カットテープＣを、その都度所定の経路を通るようにセットする手間を省くことができ、店内での糊付巻取作業を効率的に行うことができるようになる。
【００９６】
さらに、壁紙Ａと、乾燥防止用フィルムＢと、カットテープＣを貼り付けした後に、一時停止した位置において、壁紙糊付巻き取り機３００の巻き取り装置３２４にセットする紙管へ、巻き取る壁紙Ａの先端の固定が容易にできるものである。
【先行技術文献】
【特許文献】
【００９７】
【特許文献１】特許第４３２１７７１号公報
【特許文献２】特開平１０−１９４５３４号公報
【特許文献３】実公昭６０−４０５２３号公報
【発明の概要】
【発明が解決しようとする課題】
【００９８】
このような従来の壁紙糊付巻き取り機２００、壁紙糊付巻き取り機３００で糊付けされた壁紙Ａはいずれも、乾燥防止用フィルムＢを、糊が塗布された壁紙Ａの裏面Ｄに貼着されており、実際の施工の際には、購入者が乾燥防止用フィルムＢを剥がして、例えば、天井、壁面に貼着して施工するので、通常の壁紙施工者が糊付作業をする際よりも多めに糊が塗布されている。
【００９９】
この場合、従来の壁紙糊付巻き取り機２００、壁紙糊付巻き取り機３００では、巻き取り装置２２４、巻き取り装置３２４によって、手動で（例えば、ハンドルで巻き取るようにして）、または、自動で（例えば、パウダークラッチを使用して）、巻き取りのテンションを調整しながら、柔らかく巻き取るようにしている。
【０１００】
しかしながら、従来の壁紙糊付巻き取り機２００、壁紙糊付巻き取り機３００では、巻き取り装置２２４、巻き取り装置３２４ではいずれも、図示しないが、巻き取り芯棒を用いて壁紙Ａを巻き取っている。従って、巻き取るメートル数が大きくなると、巻き取り芯棒によって、ロールの中心付近の壁紙Ａに対して、巻き取りのための力が大きくかかるようになる。
【０１０１】
このため、壁紙Ａが絞められて、塗布した糊が壁紙Ａの両端部からはみ出てしまうことになってしまい、製品として使用できないことにもなる。そのため、巻き取り芯棒を使用した巻き取りでは、大きな巻径まで巻き取りができないことになる。
【０１０２】
ところで、ロール形状にシート類を巻き取る装置として、特許文献２（特開平１０−１９４５３４号公報）、特許文献３（実公昭６０−４０５２３号公報）に開示されるように、２つのワインダーロールの上に、巻き取りを載置する方式の巻き取り装置がある。
【０１０３】
図１０は、これらの特許文献２、特許文献３の巻き取り装置の概略を説明する概略図である。
【０１０４】
この巻き取り装置４００では、左右一対のワインダーロール４０２、４０２が、垂直面内で回転自在に設けられている。図示しない原反ロールから繰り出された原反シートＳが、これらの一対のワインダーロール４０２、４０２上で、巻取りロール４０４に再び巻き取られるように構成されている。
【０１０５】
そして、巻取りロール４０４の芯の中空部分にコアが通されており、このコアを支持するコアチャック４０６が、上下に昇降自在に設けられている。また、巻取りロール４０４を上から加圧するためのライダーロール４０８が、回転自在で、かつ、上下方向に昇降自在に設けられている。
【０１０６】
しかしながら、このような、特許文献２、特許文献３に開示されるように、２つのワインダーロールの上に、巻き取りを載置する方式の巻き取り装置４００では、本願発明のように、壁紙Ａの裏面Ｄに糊が塗布され、乾燥防止用フィルムＢ、カットテープＣが、壁紙Ａの裏面Ｄの糊付け面に貼着された後、ナラシローラー２４４（３４４）によって、均一の厚さになるように処理された壁紙Ａを、ロール形状に巻き取るには不向きである。
【０１０７】
すなわち、このような壁紙Ａを、特許文献２、特許文献３に開示されるような左右一対のワインダーロール４０２、４０２上に載置すると、壁紙糊付機本体２０８（３０８）で均一に壁紙Ａの裏面Ｄの糊付け面に糊付けているのに、ワインダーロールとの接線で、均一に塗布した糊が、巻き取り原反の重さで、糊が押しのけられ、糊塗布面が均一でなくなり、でこぼこになってしまうことになる。
【０１０８】
これにより、購入者が乾燥防止用フィルムＢを剥がして、例えば、天井、壁面に貼着して施工する際に、壁紙の表面が凸凹になったりするおそれがある。
【０１０９】
従って、特許文献２、特許文献３に開示されるような通常よく知られているワインダーロールに載置する方法は採用することは不可能である。
【０１１０】
本発明は、このような現状に鑑み、巻き取るメートル数が大きくなっても、巻き取り芯棒によって、ロールの中心付近の壁紙Ａに対して、巻き取りのための力が大きくかかることがなく、壁紙Ａが絞められることがなく、均一に巻き取ることができ、塗布した糊が壁紙Ａの両端部からはみ出したり、凸凹になってしまうことがなく、製品として優れた品質で、巻き取り芯棒を使用した巻き取りにおいて、大きな巻径まで巻き取りが可能な壁紙糊付巻き取り機を提供することを目的とする。
【課題を解決するための手段】
【０１１１】
本発明は、前述したような従来技術における課題及び目的を達成するために発明されたものであって、本発明の壁紙糊付巻き取り機は、
壁紙糊付機本体で、壁紙の裏面に、糊を自動的に塗布し、壁紙の糊付面が乾燥しないように、フィルムを糊付面に貼り付けた状態で、巻き取り装置で壁紙をロール形状に巻き取るための壁紙糊付巻き取り機であって、
前記巻き取り装置で壁紙をロール形状に巻き取る際に、巻き取り装置で巻き取られる壁紙の巻き取り原反ロールの壁紙の表面に対して、押圧しながら従動回転する押圧従動部を有する巻き取りアシスト装置を備え、
前記巻き取りアシスト装置の押圧従動部の移動量の方が、巻き取り原反ロールの回転量よりも多くなるように、押圧従動部の回転関係を設計しておき、
前記巻き取りアシスト装置の押圧従動部が、押圧従動部に対して、一定以上の回転負荷がかかると、押圧従動部を駆動する駆動部に対して、空回りするように構成されていることを特徴とする。
【０１１２】
このように構成することによって、巻き取り装置で壁紙をロール形状に巻き取る際に、巻き取り装置で巻き取られる壁紙の巻き取り原反ロールの壁紙の表面に対して、押圧しながら従動回転する押圧従動部を有する巻き取りアシスト装置を備えている。
【０１１３】
従って、この巻き取りアシスト装置の押圧従動部が、巻き取り装置で壁紙をロール形状に巻き取る際に、巻き取り装置で巻き取られる壁紙の巻き取り原反ロールの壁紙の表面に対して、押圧しながら従動回転するため、巻き取るメートル数が大きくなっても、巻き取り芯棒によって、ロールの中心付近の壁紙Ａに対して、巻き取りのための力が大きくかかることがなく、壁紙Ａが絞められることがなく、均一に巻き取ることができる。
また、巻き取りアシスト装置の押圧従動部が、押圧従動部に対して、一定以上の回転負荷がかかると、押圧従動部を駆動する駆動部に対して、空回りするように構成されている。
【０１１４】
このように構成することによって、巻き取りアシスト装置の押圧従動部が、押圧従動部に対して、一定以上の回転負荷がかかると、押圧従動部を駆動する駆動部に対して、空回りするので、巻き取られる壁紙の表面に対して、巻き取りアシスト装置の押圧従動部が一定の圧力で当接して従動することができる。
従って、巻き取るメートル数が大きくなっても、巻き取り芯棒によって、ロールの中心付近の壁紙Ａに対して、巻き取りのための力が大きくかかることがなく、壁紙Ａが絞められることがなく、均一に巻き取ることができる。
これにより、塗布した糊が壁紙Ａの両端部からはみ出したり、凸凹になってしまうことがなく、製品として優れた品質で、巻き取り芯棒を使用した巻き取りにおいて、大きな巻径まで巻き取りが可能である。
【０１１５】
また、本発明の壁紙糊付巻き取り機は、前記巻き取りアシスト装置が、巻き取られる壁紙の表面に対して、押圧従動部を離接することができる離接機構を備えていることを特徴とする。
【０１１６】
このように構成することによって、巻き取りアシスト装置が、巻き取られる壁紙の表面に対して、押圧従動部を離接することができる離接機構を備えているので、巻き取られる壁紙の巻き取り径に追随して、離接機構によって、押圧従動部を離接することによって、巻き取られる壁紙の表面に対して、巻き取りアシスト装置の押圧従動部が一定の圧力で当接して従動することができる。
【０１１７】
従って、巻き取るメートル数が大きくなっても、巻き取り芯棒によって、ロールの中心付近の壁紙Ａに対して、巻き取りのための力が大きくかかることがなく、壁紙Ａが絞められることがなく、均一に巻き取ることができる。
【０１１８】
これにより、塗布した糊が壁紙Ａの両端部からはみ出したり、凸凹になってしまうことがなく、製品として優れた品質で、巻き取り芯棒を使用した巻き取りにおいて、大きな巻径まで巻き取りが可能である。
【０１１９】
また、本発明の壁紙糊付巻き取り機は、前記巻き取りアシスト装置の押圧従動部が、巻き取り装置で壁紙をロール形状に巻き取る際に、巻き取られる壁紙に対して、押圧しながら従動するアシストベルトであることを特徴とする。
【０１２０】
このように、巻き取りアシスト装置の押圧従動部が、巻き取り装置で壁紙をロール形状に巻き取る際に、巻き取られる壁紙に対して、押圧しながら従動するアシストベルトであっても良い。
【０１２１】
また、本発明の壁紙糊付巻き取り機は、前記巻き取りアシスト装置の押圧従動部が、巻き取り装置で壁紙をロール形状に巻き取る際に、巻き取られる壁紙に対して、押圧しながら従動するアシストローラーであることを特徴とする。
【０１２２】
このように、巻き取りアシスト装置の押圧従動部が、巻き取り装置で壁紙をロール形状に巻き取る際に、巻き取られる壁紙に対して、押圧しながら従動するアシストローラーであっても良い。
【０１２３】
また、本発明の壁紙糊付巻き取り機は、前記離接機構が、巻き取られる壁紙の表面に対して、押圧従動部を旋回するように離接することができる旋回離接機構を備えていることを特徴とする。
【０１２４】
このように、離接機構が、巻き取られる壁紙の表面に対して、押圧従動部を旋回するように離接することができる旋回離接機構であっても良い。
【０１２５】
また、本発明の壁紙糊付巻き取り機は、前記離接機構が、巻き取られる壁紙の表面に対して、押圧従動部を側方から離接することができる側方離接機構を備えていることを特徴とする。
【０１２６】
このように、離接機構が、巻き取られる壁紙の表面に対して、押圧従動部を側方から離接することができる側方離接機構であっても良い。
【発明の効果】
【０１３１】
本発明によれば、巻き取り装置で壁紙をロール形状に巻き取る際に、巻き取り装置で巻き取られる壁紙の巻き取り原反ロールの壁紙の表面に対して、押圧しながら従動回転する押圧従動部を有する巻き取りアシスト装置を備えている。
【０１３２】
従って、この巻き取りアシスト装置の押圧従動部が、巻き取り装置で壁紙をロール形状に巻き取る際に、巻き取り装置で巻き取られる壁紙の巻き取り原反ロールの壁紙の表面に対して、押圧しながら従動回転するため、巻き取るメートル数が大きくなっても、巻き取り芯棒によって、ロールの中心付近の壁紙Ａに対して、巻き取りのための力が大きくかかることがなく、壁紙Ａが絞められることがなく、均一に巻き取ることができる。
また、巻き取りアシスト装置の押圧従動部が、押圧従動部に対して、一定以上の回転負荷がかかると、押圧従動部を駆動する駆動部に対して、空回りするように構成されている。
【０１３３】
このように構成することによって、巻き取りアシスト装置の押圧従動部が、押圧従動部に対して、一定以上の回転負荷がかかると、押圧従動部を駆動する駆動部に対して、空回りするので、巻き取られる壁紙の表面に対して、巻き取りアシスト装置の押圧従動部が一定の圧力で当接して従動することができる。
従って、巻き取るメートル数が大きくなっても、巻き取り芯棒によって、ロールの中心付近の壁紙Ａに対して、巻き取りのための力が大きくかかることがなく、壁紙Ａが絞められることがなく、均一に巻き取ることができる。
これにより、塗布した糊が壁紙Ａの両端部からはみ出したり、凸凹になってしまうことがなく、製品として優れた品質で、巻き取り芯棒を使用した巻き取りにおいて、大きな巻径まで巻き取りが可能である。
【図面の簡単な説明】
【０１３４】
【図１】図１は、本発明の壁紙糊付巻き取り機の実施例の側面図である。
【図２】図２は、本発明の壁紙糊付巻き取り機の別の実施例の側面図である。
【図３】図３は、図２の実施例の壁紙Ａ、乾燥防止用フィルムＢ、カットテープＣのセット手順を説明する側面図である。
【図４】図４は、巻き取り装置３４（１２４）に付設された巻き取りアシスト装置６０の実施例を示す概略図である。
【図５】図５は、巻き取り装置３４（１２４）に付設された巻き取りアシスト装置６０の別の実施例を示す概略図である。
【図６】図６は、巻き取り装置３４（１２４）に付設された巻き取りアシスト装置６０の別の実施例を示す概略図である。
【図７】図７は、従来の壁紙糊付巻き取り機２００の側面図である。
【図８】図８は、特許文献１の壁紙糊付巻き取り機３００の側面図である。
【図９】図９は、図８の壁紙糊付巻き取り機３００の壁紙Ａ、乾燥防止用フィルムＢ、カットテープＣのセット手順を説明する側面図である。
【図１０】図１０は、特許文献２、特許文献３の巻き取り装置の概略を説明する概略図である。
【発明を実施するための形態】
【０１３５】
以下、本発明の実施の形態（実施例）を図面に基づいてより詳細に説明する。
（実施例１）
【０１３６】
図１は、本発明の壁紙糊付巻き取り機の実施例の側面図である。
【０１３７】
図１において、符号１０は、全体で本発明の壁紙糊付巻き取り機を示している。
【０１３８】
図１に示したように、図７に示した従来の壁紙糊付巻き取り機２００と概略同様な構成を備えている。なお、図７に示した従来の壁紙糊付巻き取り機２００と同様な構成部材には、１９０を引いた参照番号で示している。
【０１３９】
すなわち、図１に示したように、本発明の壁紙糊付巻き取り機１０は、壁紙Ａの糊付面に乾燥防止用フィルムＢを貼着した状態で、壁紙Ａをロール形状に巻き取るためのものである。
【０１４０】
図１に示したように、壁紙糊付巻き取り機１０は、底部に移動用キャスター１２が設けられた架台フレーム１４を備えている。そして、この架台フレーム１４の略中央部分の中央フレーム１６に、従来から知られている自動壁紙糊付機と同様な構造を備えた壁紙糊付機本体１８が、載置するように設けられている。
【０１４１】
一方、架台フレーム１４の壁紙糊付機本体１８の後方側の後方フレーム２０の上部には、壁紙Ａの壁紙原反ロール２２が、繰り出し可能に、かつ、脱着自在に装着されている。
なお、図１に示したように、異なる径の芯棒を使用して壁紙原反ロール２２を、点線と二点鎖線で示したように、２カ所のうちいずれかに設置することができるように構成されている。
【０１４２】
また、架台フレーム１４の壁紙糊付機本体１８の前方側の下方フレーム２１に、乾燥防止用フィルムＢの乾燥防止用フィルム原反ロール２３が、繰り出し可能に、かつ、脱着自在に装着されている。
【０１４３】
また、架台フレーム１４の壁紙糊付機本体１８の下方の下方フレーム２５に、カットテープＣのカットテープ原反ロール３０が、繰り出し可能に、かつ、脱着自在に装着されている。
【０１４４】
なお、カットテープＣは、従来から知られている自動壁紙糊付機と同様に、図示しないが、壁紙Ａの左右の端部に貼り付けすることができるように、架台フレーム１４の下方フレーム２５の両側に、それぞれ設けられている構成となっている。もちろん、カットテープＣは、壁紙Ａの左右のいずれか片側だけに貼り付けするようにしても良い。
【０１４５】
また、架台フレーム１４の前方側の前方フレーム３２の上部には、巻き取り装置３４が設けられている。
【０１４６】
この巻き取り装置３４は、後述するように、壁紙糊付巻き取り機１０の壁紙糊付機本体１８を通過することによって、壁紙Ａの裏面Ｄに糊が塗布され、乾燥防止用フィルムＢ、カットテープＣが、壁紙Ａの裏面Ｄの糊付け面に貼着された壁紙Ａを、手動または自動で、巻き取るように構成されている。なお、図１では、手動ハンドルＨを示している。
【０１４７】
また、壁紙糊付機本体１８は、従来から知られている自動壁紙糊付機と同様な構成となっており、図１に示したように、上部が開放した状態の略箱体形状の本体フレーム３６を備えている。
【０１４８】
この本体フレーム３６は、図１に示したように、上部フレーム３８と、下部フレーム４０とから構成されている。そして、上部フレーム３８の上部には、左右方向に離間して配置された一対の把手２７を備えている。
【０１４９】
この把手２７を把持して操作することによって、後述するように、壁紙Ａを壁紙糊付機本体１８に配置したり、メンテナンスのために、下部フレーム４０に対して、図示しないピボット軸を回動中心として、図１の矢印で示したように、開閉可能なように構成されている。なお、図１において、開いた状態の上部フレーム３８を２点鎖線で示している。
【０１５０】
なお、図１に示したように、上部フレーム３８と、下部フレーム４０には、上部フレーム３８を下部フレーム４０に対して閉じた状態で固定するために、例えば、いわゆる「パチン錠」などの係止具４２が設けられている。
【０１５１】
壁紙原反ロール２２から送り出された壁紙Ａは、案内ローラー２４を介して、送り出しローラー２６と、検尺ローラー２８との間に挟持されるように搬送される。
【０１５２】
また、送り出しローラー２６は、下部フレーム４０の左右の側板部に回転可能に装着されているとともに、図示しない、複数の歯車機構を介して、駆動部の駆動モーターの駆動が伝達されるように構成されている。
【０１５３】
そして、壁紙Ａの裏面Ｄが、送り出しローラー２６に当接するとともに、検尺ローラー２８が、壁紙Ａの表面Ｅに当接して、送り出しローラー２６により搬送される壁紙Ａに従動して回転するように構成されている。
【０１５４】
このように、送り出しローラー２６と、検尺ローラー２８との間に挟持されるように搬送された壁紙Ａは、図１に示したように、壁紙Ａの裏面Ｄに対して、糊を塗布する糊付装置４１に搬送される。
【０１５５】
この糊付装置４１では、壁紙Ａの表面Ｅが、ハイテンションローラー４４に当接するように壁紙Ａが通過するとともに、壁紙Ａの裏面Ｄが、糊付ローラー４６と接触するように構成されている。
【０１５６】
また、図１に示したように、糊付ローラー４６と接触するように、糊付ローラー４６の下方側に、糊上ローラー４８が設けられており、糊収容タンク（糊箱）５５に収容した糊を糊上ローラー４８から、糊付ローラー４６に転写するように構成されている。
なお、糊収容タンク（糊箱）５５は、図１の二点鎖線で示したように、糊収容タンク５５内に収容する糊の補充や洗浄するために、糊収容タンク５５が前方側にスライドして脱着できるように構成されている。
【０１５７】
また、糊付ローラー４６の上流側には、糊付ローラー４６と当接するように、ドクターローラー５０が設けられている。このドクターローラー５０と糊付ローラー４６との間の距離を調整することによって、糊付ローラー４６から、壁紙Ａに転写する糊の厚さ（量）が、所定の厚さになるように調整するように構成されている。
【０１５８】
さらに、糊付ローラー４６の下流側には、押えローラー５２が設けられており、押えローラー５２が、壁紙Ａの表面Ｅと当接するように構成されている。
【０１５９】
また、押えローラー５２の下流側には、壁紙Ａの裏面Ｄと当接するナラシローラー５４が設けられている。
【０１６０】
このように構成される糊付装置４１では、送り出しローラー２６と、検尺ローラー２８との間に挟持されるように搬送された壁紙Ａは、ハイテンションローラー４４と押えローラー５２によって、糊付ローラー４６に対して、所定のテンションで接触するように構成されている。
【０１６１】
そして、糊収容タンク（糊箱）５５に収容した糊が、糊上ローラー４８から、糊付ローラー４６に転写される。この際、ドクターローラー５０により、壁紙Ａに転写する糊の厚さ（量）が、所定の厚さになるように調整される。
【０１６２】
そして、図１に示したように、糊付ローラー４６によって、壁紙Ａの裏面Ｄに糊が塗布された後、乾燥防止用フィルム原反ロール２３から繰り出された乾燥防止用フィルムＢが、ナラシローラー５４の上流側から、壁紙Ａの裏面Ｄの糊付け面に貼着されるように供給される。
【０１６３】
また、これと同時に、カットテープ原反ロール３０から繰り出されたカットテープＣが、ナラシローラー５４の上流側から、壁紙Ａの裏面Ｄの糊付け面に、壁紙Ａの左右の端部のいずれか一方又は両端に貼着されるように供給される。
【０１６４】
このように、壁紙Ａの裏面Ｄに糊が塗布され、乾燥防止用フィルムＢ、カットテープＣが、壁紙Ａの裏面Ｄの糊付け面に貼着された後、ナラシローラー５４によって、均一の厚さになるように処理される。
【０１６５】
そして、ナラシローラー５４によって、均一の厚さになるように処理された壁紙Ａは、壁紙糊付機本体１８から排出された後、巻き取り装置３４によって、手動または自動で、巻き取られるように構成されている。
【０１６６】
また、壁紙糊付機本体１８と巻き取り装置３４との間には、図１に示したように、カッターガイド５６が設けられており、作業者が、カッターなどで、カッターガイド５６の側端部を、乾燥防止用フィルムＢの切断ガイドとして用いて、乾燥防止用フィルムＢと、カットテープＣを切断することができるように構成されている。
【０１６７】
また、図１に示したように、壁紙糊付巻き取り機１０には、制御ボックス５７が設けられており、糊付長さや枚数などの各種の設定や、運転・停止・寸動・割り込みスイッチなどの各操作ができるスイッチが適宜設けられている。
【０１６８】
さらに、架台フレーム１４の壁紙糊付機本体１８の後方側の後方フレーム２０の上部には、壁紙原反押え５８が設けられている。この壁紙原反押え５８は、矢印方向に付勢されており、壁紙Ａが、壁紙原反ロール２２から繰り出される際に、壁紙原反ロール２２の径に応じて、ピボット軸５８ａを中心に回動して、一定の圧力で押圧して壁紙Ａが弛まないように構成されている。
【０１６９】
そして、本発明の壁紙糊付巻き取り機１０では、図１に示したように、巻き取り装置３４で壁紙Ａをロール形状に巻き取る際に、巻き取られる壁紙Ａの表面Ｅに対して、すなわち、巻き取り装置３４で巻き取られる壁紙Ａの巻き取り原反ロール６２の壁紙Ａの表面に対して、押圧しながら従動回転する押圧従動部を有する巻き取りアシスト装置６０を、巻き取り装置３４に付設するように備えられている。
【０１７０】
なお、この巻き取り装置３４に付設された巻き取りアシスト装置６０については、その詳細については、後述する。
【０１７１】
このように構成することによって、巻き取り装置３４で壁紙Ａをロール形状に巻き取る際に、巻き取られる壁紙Ａの表面Ｅに対して、すなわち、巻き取り装置３４で巻き取られる壁紙Ａの巻き取り原反ロール６２の壁紙Ａの表面に対して、押圧しながら従動回転する押圧従動部を有する巻き取り巻き取りアシスト装置６０を備えている。
【０１７２】
従って、この巻き取りアシスト装置６０の押圧従動部が、巻き取り装置３４で壁紙Ａをロール形状に巻き取る際に、巻き取られる壁紙Ａの表面Ｅに対して、すなわち、巻き取り装置３４で巻き取られる壁紙Ａの巻き取り原反ロール６２の壁紙Ａの表面に対して、押圧しながら従動回転するため、巻き取るメートル数が大きくなっても、巻き取り芯棒によって、ロールの中心付近の壁紙Ａに対して、巻き取りのための力が大きくかかることがなく、壁紙Ａが絞められることがなく、均一に巻き取ることができる。
【０１７３】
これにより、塗布した糊が壁紙Ａの両端部からはみ出したり、凸凹になってしまうことがなく、製品として優れた品質で、巻き取り芯棒を使用した巻き取りにおいて、大きな巻径まで巻き取りが可能である。
(実施例２)
【０１７４】
図２は、本発明の壁紙糊付巻き取り機の別の実施例の側面図、図３は、図２の実施例の壁紙Ａ、乾燥防止用フィルムＢ、カットテープＣのセット手順を説明する側面図である。
【０１７５】
図２〜図３において、符号１００は、全体で本発明の壁紙糊付巻き取り機を示している。
【０１７６】
図２〜図３に示したように、図８〜図９に示した従来の壁紙糊付巻き取り機３００と概略同様な構成を備えている。なお、図８〜図９に示した特許文献１の壁紙糊付巻き取り機３００と同様な構成部材には、２００を引いた参照番号で示している。
【０１７７】
図２に示したように、この実施例の壁紙糊付巻き取り機１００は、底部に移動用キャスター１０２が設けられた架台フレーム１０４を備えている。そして、この架台フレーム１０４の略中央部分の中央フレーム１０６に、従来から知られている自動壁紙糊付機と同様な構造を備えた壁紙糊付機本体１０８が、載置するように設けられている。
【０１７８】
一方、架台フレーム１０４の前方側の前方フレーム１１０の下方、すなわち、壁紙糊付機本体１０８よりも下方の位置に、壁紙Ａの壁紙原反ロール１１２が、繰り出し可能に、かつ、脱着自在に装着されている。
【０１７９】
また、図２に示したように、架台フレーム１０４の壁紙糊付機本体１０８の後方側の後方フレーム１１１に、壁紙糊付機本体１０８よりも下方の位置に、乾燥防止用フィルムＢの乾燥防止用フィルム原反ロール１１３が、繰り出し可能に、かつ、脱着自在に装着されている。
【０１８０】
また、架台フレーム１０４の壁紙糊付機本体１０８の下方の下方フレーム１１５に、カットテープＣのカットテープ原反ロール１２０が、繰り出し可能に、かつ、脱着自在に装着されている。
【０１８１】
なお、カットテープＣは、従来から知られている自動壁紙糊付機と同様に、図示しないが、壁紙Ａの左右の端部に貼り付けすることができるように、架台フレーム１０４の下方フレーム１１５の両側に、それぞれ設けられている構成となっている。
【０１８２】
また、架台フレーム１０４の前方側の前方フレーム１１０の上部には、巻き取り装置１２４が設けられている。
【０１８３】
この巻き取り装置１２４は、後述するように、壁紙糊付巻き取り機１００の壁紙糊付機本体１０８を通過することによって、壁紙Ａの裏面Ｄに糊が塗布され、乾燥防止用フィルムＢ、カットテープＣが、壁紙Ａの裏面Ｄの糊付け面に貼着された壁紙Ａを、手動または自動で、巻き取るように構成されている。なお、図２〜図３では、手動ハンドルＨを示している。
【０１８４】
なお、壁紙糊付機本体１０８は、従来から知られている自動壁紙糊付機と同様な構成となっており、図２に示したように、上部が開放した状態の略箱体形状の本体フレーム１２６を備えている。
【０１８５】
この本体フレーム１２６は、図２に示したように、上部フレーム１２８と、下部フレーム１３０とから構成されている。そして、上部フレーム１２８の上部には、左右方向に離間して配置された一対の図示しない把手を備えている。
【０１８６】
この把手を把持して操作することによって、後述するように、壁紙Ａを壁紙糊付機本体１０８に配置したり、メンテナンスのために、下部フレーム１３０に対して、図示しないピボット軸を回動中心として、図２の矢印で示したように、開閉可能なように構成されている。
【０１８７】
なお、図２に示したように、上部フレーム１２８と、下部フレーム１３０には、上部フレーム１２８を下部フレーム１３０に対して閉じた状態で固定するために、例えば、いわゆる「パチン錠」などの係止具１３２が設けられている。
【０１８８】
壁紙原反ロール１１２から送り出された壁紙Ａは、案内ローラー１１４を介して、送り出しローラー１１６と、検尺ローラー１１８との間に挟持されるように搬送される。
【０１８９】
また、送り出しローラー１１６は、下部フレーム１３０の左右の側板部に回転可能に装着されているとともに、図示しない、複数の歯車機構を介して、駆動部の駆動モーターの駆動が伝達されるように構成されている。
【０１９０】
そして、壁紙Ａの裏面Ｄが、送り出しローラー１１６に当接するとともに、検尺ローラー１１８が、壁紙Ａの表面Ｅに当接して、送り出しローラー１１６により搬送される壁紙Ａに従動して回転するように構成されている。
【０１９１】
このように、送り出しローラー１１６と、検尺ローラー１１８との間に挟持されるように搬送された壁紙Ａは、図２に示したように、壁紙Ａの裏面Ｄに対して、糊を塗布する糊付装置１３１に搬送される。
【０１９２】
この糊付装置１３１では、壁紙Ａの表面Ｅが、ハイテンションローラー１３４に当接するように壁紙Ａが通過するとともに、壁紙Ａの裏面Ｄが、糊付ローラー１３６と接触するように構成されている。
【０１９３】
また、図２に示したように、糊付ローラー１３６と接触するように、糊付ローラー１３６の下方側に、糊上ローラー１３８が設けられており、糊収容タンク（糊箱）１２５に収容した糊を糊上ローラー１３８から、糊付ローラー１３６に転写するように構成されている。
【０１９４】
また、糊付ローラー１３６の上流側には、糊付ローラー１３６と当接するように、ドクターローラー１４０が設けられている。このドクターローラー１４０と糊付ローラー１３６との間の距離を調整することによって、糊付ローラー１３６から、壁紙Ａに転写する糊の厚さ（量）が、所定の厚さになるように調整するように構成されている。
【０１９５】
さらに、糊付ローラー１３６の下流側には、押えローラー１４２が設けられており、押えローラー１４２が、壁紙Ａの表面Ｅと当接するように構成されている。
【０１９６】
また、押えローラー１４２の下流側には、壁紙Ａの裏面Ｄと当接するナラシローラー１４４が設けられている。
【０１９７】
さらに、図２に示したように、ナラシローラー１４４の右側には、第１のテーブル１４６が設けられている。第１のテーブル１４６は、壁紙糊付機本体１０８の両側において、テーブルフレーム１４６ａが設けられ、これらのテーブルフレーム１４６ａに、テーブル１４６ｂが、脱着自在に設けられている。
【０１９８】
また、図２に示したように、検尺ローラー１１８から糊付ローラー１３６に至る経路の上方には、第２のテーブル１４８が設けられている。
【０１９９】
さらに、図２に示したように、壁紙糊付巻き取り機１００には、制御ボックス１５２が設けられており、糊付長さや枚数などの各種の設定や、運転・停止・寸動・割り込みスイッチなどの各操作ができるスイッチが適宜設けられている。
【０２００】
また、フットスイッチ１５４が設けられ、フットスイッチ１５４を作動させると、壁紙糊付機本体１０８の停止が行われるように設定されている。
【０２０１】
このように、制御ボックス１５２の停止スイッチとは別に、フットスイッチ１５４が併設されており、フットスイッチ１５４を踏むことにより、任意位置ですばやく機械を停止させることができるように構成されている。
【０２０２】
なお、このフットスイッチ１５４を踏むたびに、停止と運転とを繰り返す作動をするようにしても構わない。
【０２０３】
このように構成される糊付装置１３１では、概略、以下のように、操作して作動されるようになっている。
【０２０４】
先ず、図３に示したように、乾燥防止用フィルムＢとカットテープＣを、ナラシローラー１４４に巻くようにして、壁紙糊付機本体１０８から引き出し、引き出した先端をテープなどで、第１のテーブル１４６に貼り付けておく。
【０２０５】
この際、乾燥防止用フィルムＢの先端を、第２のテーブル１４８の左側にあるステー１５０まで引き出してから、第１のテーブル１４６の側へ折り返すように載置しておく。
【０２０６】
次に、上部フレーム１２８の係止具１３２（パチン錠）を開放して、上部フレーム１２８を上方に開き、制御ボックス１５２に設けられている割り込みスイッチ（図示せず）を押し、設定されている一定糊付速度で壁紙糊付機本体１０８を作動させる。
【０２０７】
このように、壁紙糊付機本体１０８を作動させた状態で、壁紙Ａを壁紙原反ロール１１２から引き出し、図２、図３に示したような経路を通して、糊付ローラー１３６に壁紙Ａの先端を貼り付けるように置く。
【０２０８】
そして、送り出しローラー１１６と、検尺ローラー１１８との間に挟持されるように搬送された壁紙Ａは、ハイテンションローラー１３４と押えローラー１４２によって、糊付ローラー１３６に対して、所定のテンションで接触するように構成されている。
【０２０９】
そして、糊収容タンク（糊箱）１２５に収容した糊が、糊上ローラー１３８から、糊付ローラー１３６に転写される。この際、ドクターローラー１４０により、壁紙Ａに転写する糊の厚さ（量）が、所定の厚さになるように調整される。
【０２１０】
図２に示したように、糊付ローラー１３６によって、壁紙Ａの裏面Ｄに糊が塗布された後、壁紙Ａがナラシローラー１４４側へ搬送される。壁紙Ａの先端を指で持ち、壁紙Ａの先端がナラシローラー１４４を過ぎる位置くらいで、フットスイッチ１５４を作動させて、壁紙糊付機本体１０８の作動を停止させる。この位置で、壁紙Ａの先端を、乾燥防止用フィルムＢへ貼り付ける。
【０２１１】
これにより、壁紙Ａの先端に対して、乾燥防止用フィルムＢが、約２０ｃｍ程度長くなった状態で貼り付けられ、カットテープＣが、壁紙Ａの両端の適切な位置へ貼り付いた状態となる。
【０２１２】
ここで、第１のテーブル１４６にテープなどで貼り付けられた乾燥防止用フィルムＢとカットテープＣは外しておく。
【０２１３】
そして、上部フレーム１２８を閉じて、係止具１３２（パチン錠）で固定し、制御ボックス１５２の入力装置であるテンキー（図示せず）を使用して、顧客の所望の長さを入力して、スタートスイッチ（図示せず）で糊付作業を開始する。
【０２１４】
図２に示したように、糊付ローラー１３６によって、壁紙Ａの裏面Ｄに糊が塗布された後、乾燥防止用フィルム原反ロール１１３から繰り出された乾燥防止用フィルムＢが、ナラシローラー１４４の上流側から、壁紙Ａの裏面Ｄの糊付け面に貼着されるように供給される。
【０２１５】
また、これと同時に、カットテープ原反ロール１２０から繰り出されたカットテープＣが、ナラシローラー１４４の上流側から、壁紙Ａの裏面Ｄの糊付け面に、壁紙Ａの左右の端部に貼着されるように供給される。
【０２１６】
このように、壁紙Ａの裏面Ｄに糊が塗布され、乾燥防止用フィルムＢ、カットテープＣが、壁紙Ａの裏面Ｄの糊付け面に貼着された後、ナラシローラー１４４によって、均一の厚さになるように処理される。
【０２１７】
そして、ナラシローラー１４４によって、均一の厚さになるように処理された壁紙Ａは、壁紙糊付機本体１０８から排出された後、巻き取り装置１２４によって、手動または自動で、巻き取られるように構成されている。
【０２１８】
なお、この際、購入者が所望する長さ分糊付けされたとき、壁紙糊付機本体１０８が停止する。ここで作業者は、カッターなどで壁紙切断位置Ｘにおいて壁紙Ａを切断する。
【０２１９】
そして、壁紙Ａの切断後、割り込みスイッチなどを押して、壁紙Ａの後端が巻き取り装置１２４に巻き取られるまで、壁紙糊付機本体１０８を作動させ、巻取りが完了した時に、フットスイッチ１５４などによって、壁紙糊付機本体１０８の作動を停止させる。
【０２２０】
この状態で、作業者が、カッターなどで、第２のテーブル１４８のステー１５０の側端部を、乾燥防止用フィルムＢの切断ガイドとして用いて、乾燥防止用フィルムＢと、カットテープＣを切断する。そして、乾燥防止用フィルムＢの後端を、テープ止めなどして１本のロール状に梱包する。それと同時に、切断されたもう一方の乾燥防止用フィルムＢの先端側をカットテープＣとともに、再び、第１のテーブル１４６へテープなどで仮止めする。
【０２２１】
以上で、一つの壁紙Ａの付作業は完了となり、あとは、この手順を繰り返して、必要な枚数分、糊付作業を行うように構成されている。
【０２２２】
そして、本発明の壁紙糊付巻き取り機１００では、実施例１の壁紙糊付巻き取り機１０と同様に、図２〜図３に示したように、巻き取り装置１２４で壁紙Ａをロール形状に巻き取る際に、巻き取られる壁紙Ａの表面Ｅに対して、すなわち、巻き取り装置３４で巻き取られる壁紙Ａの巻き取り原反ロール６２の壁紙Ａの表面に対して、押圧しながら従動回転する押圧従動部を有する巻き取りアシスト装置６０を、巻き取り装置１２４に付設するように備えられている。
【０２２３】
なお、この巻き取り装置１２４に付設された巻き取りアシスト装置６０については、その詳細については、後述する。
【０２２４】
この場合、特許文献１（特許第４３２１７７１号公報）に示したように、壁紙Ａをセットしてスタートさせる位置は，壁紙Ａの先端がナラシローラー１４４を過ぎる程度の位置であり、所定の長さに糊付した際に、壁紙Ａを切断するのは、図３の壁紙切断位置Ｘである。
【０２２５】
従って、そのまま購入者の所望する長さを糊付してしまうと、ナラシローラー１４４を過ぎる程度の位置から、壁紙切断位置Ｘの間の距離（約４０ｃｍ）分長くなってしまうこととなる。
【０２２６】
このため、購入者の所望する長さから３０ｃｍを自動的に減算する補正を、制御ボックス１５２で行い、減算した結果の長さを、糊付する動作としている。３０ｃｍの減算であると、実際には、約１０ｃｍ程度所望の長さより長くなる。
【０２２７】
しかしながら、これは、壁紙Ａの先端と後端に万一購入者が持ち帰りの際に乾燥部ができてしまったりすることが考えられるため、このような事態が発生したときにでも対応できるように、少し長めに店頭で糊付されて、購入者に渡されているからである。
【０２２８】
もちろん、３０ｃｍの減算においては、その数値は、糊付作業者の所望の数字に設定変更が可能である。また、制御ボックス１５２で自動的に減算させずに、作業者が暗算で３０ｃｍ減算した長さを入力して糊付するようにしてもよい。
【０２２９】
このような自動的に減算する補正については、購入者の希望する壁紙の長さを入力し、糊付開始時の長さのカウントを補正して、３０ｃｍからカウントを始めるように制御しても構わない。
【０２３０】
これにより、壁紙糊付巻き取り機１００の制御ボックス１５２には、購入者の所望する長さのまま入力した数字を表示することができ、また、糊付した長さも、糊付完了時には、入力した数値と一致するので、作業時に長さ寸法の誤解等が発生しない。
【０２３１】
しかも、同じ長さの壁紙を糊付する際にも、作業者にわかりやすい表示とすることができる。もちろん、自動的に減算する場合でも、表示については入力した数値を表示し、減算自体は、内部的に演算処理して表示はしないようにしておいても構わない。
(実施例３)
【０２３２】
図４は、巻き取り装置３４（１２４）に付設された巻き取りアシスト装置６０の実施例を示す概略図である。
【０２３３】
図４に示したように、この実施例の巻き取りアシスト装置６０では、巻き取り装置３４（１２４）の巻き取り原反ロール６２の下方に、アシスト装置６０が設けられている。
なお、図４では、説明の便宜上、壁紙糊付巻き取り機１０に適用した図を示している。
【０２３４】
すなわち、図４に示したように、巻き取り原反ロール６２を駆動する駆動装置（手動ハンドルＨまたは駆動モーター）の駆動プーリー６４と、レバー部材７０のプーリー６６との間に、駆動ベルト６８が挿着されている。
【０２３５】
そして、レバー部材７０のプーリー６６を回動中心として、図４の矢印で示したように、旋回可能なレバー部材７０が備えられている。このレバー部材７０の先端には、回転ローラー７２が設けられており、この回転ローラー７２と基端部のプーリー６５との間に、押圧従動部を構成するアシストベルト７４が装着されている。
【０２３６】
この場合、アシストベルト７４の幅は、壁紙Ａの幅と同一かそれ以上の幅とするのが、均一に巻き取るためには好ましい。また、アシストベルト７４は、幅の狭いベルトを複数設置するような構成としても良い。
【０２３７】
このように構成される巻き取りアシスト装置６０では、糊がはみ出さない巻径（糊付長さ）までは、巻き取り原反ロール６２の巻き取り芯棒のみで巻き取りを行い、壁紙糊付巻き取り機１０（１００）の検尺、停止の制御機能を用いて、所定の糊付長さで一度停止させる。
【０２３８】
この状態で、巻き取りのアシストを行う手段である巻き取りアシスト装置６０の押圧従動部を構成するアシストベルト７４を、巻き取り原反ロール６２の表面（壁紙Ａの表面Ｅ）
に押しつけて、所定の径（糊付長さ）まで糊付しながら巻き取るようになっている。
【０２３９】
この場合、アシストベルト７４の移動量の方が、巻き取り原反ロール６２の回転量よりも多くなるように、巻き取り原反ロール６２を駆動する駆動装置（手動ハンドルまたは駆動モーター）の駆動プーリー６４と、レバー部材７０のプーリー６６と、プーリー６５との回転関係を設計しておき、一定以上の回転負荷がアシストベルト７４にかかると、ロール部（すなわち、押圧従動部であるアシストベルト７４を駆動する駆動部）に対して空回りしながらアシストするように構成するのが望ましい。
【０２４０】
これにより、巻き取りアシスト装置６０の押圧従動部であるアシストベルト７４が、押圧従動部（アシストベルト７４）に対して、一定以上の回転負荷がかかると、押圧従動部であるアシストベルト７４を駆動する駆動部に対して、空回りすることができるとともに、巻き取られる壁紙Ａの表面Ｅに対して、巻き取りアシスト装置６０の押圧従動部（アシストベルト７４）によって押しつける圧力により当接させて従動させることができる。
【０２４１】
このように構成することによって、巻き取り装置３４（１２４）で壁紙Ａをロール形状に巻き取る際に、巻き取られる壁紙Ａの表面Ｅに対して、すなわち、巻き取り装置３４（１２４）で巻き取られる壁紙Ａの巻き取り原反ロール６２の壁紙Ａの表面に対して、押圧しながら従動回転する押圧従動部であるアシストベルト７４を有する巻き取りアシスト装置６０を備えている。
【０２４２】
また、巻き取りアシスト装置６０が、巻き取られる壁紙Ａの表面Ｅに対して、巻き取りアシスト装置６０の押圧従動部であるアシストベルト７４を離接することができる離接機構（旋回可能なレバー部材７０）を備えているので、巻き取られる壁紙Ａの巻き取り径に追随して、この離接機構によって、押圧従動部であるアシストベルト７４を離接することによって、巻き取られる壁紙Ａの表面Ｅに対して、巻き取りアシスト装置６０の押圧従動部（アシストベルト７４）が一定の圧力で当接して従動することができる。
【０２４３】
従って、この巻き取りアシスト装置６０の押圧従動部であるアシストベルト７４が、巻き取り装置３４（１２４）で壁紙Ａをロール形状に巻き取る際に、巻き取られる壁紙Ａの表面Ｅに対して、すなわち、巻き取り装置３４（１２４）で巻き取られる壁紙Ａの巻き取り原反ロール６２の壁紙Ａの表面に対して、押圧しながら従動回転するため、巻き取るメートル数が大きくなっても、巻き取り芯棒によって、巻き取り原反ロール６２の中心付近の壁紙Ａに対して、巻き取りのための力が大きくかかることがなく、壁紙Ａが絞められることがなく、均一に巻き取ることができる。
【０２４４】
これにより、塗布した糊が壁紙Ａの両端部からはみ出したり、凸凹になってしまうことがなく、製品として優れた品質で、巻き取り芯棒を使用した巻き取りにおいて、大きな巻径まで巻き取りが可能である。
(実施例４)
【０２４５】
図５は、巻き取り装置３４（１２４）に付設された巻き取りアシスト装置６０の別の実施例を示す概略図である。
【０２４６】
図５に示したように、この実施例の巻き取りアシスト装置６０では、巻き取り装置３４（１２４）の巻き取り原反ロール６２の側方に、アシスト装置６０が設けられている。
なお、図５では、説明の便宜上、壁紙糊付巻き取り機１０に適用した図を示している。
【０２４７】
また、この実施例のアシスト装置６０では、回転支持部材７６に、図示しない駆動装置によって回転駆動する駆動ローラー７８と、駆動ローラー７８と離間して回転ローラー８０が設けられ、これらの駆動ローラー７８と回転ローラー８０との間に、巻き取りアシスト装置６０の押圧従動部であるアシストベルト８２が装着されている。
【０２４８】
この場合、アシストベルト８２の幅は、壁紙Ａの幅と同一かそれ以上の幅とするのが、均一に巻き取るためには好ましい。また、アシストベルト７４は、幅の狭いベルトを複数設置するような構成としても良い。
【０２４９】
そして、この実施例の巻き取りアシスト装置６０では、図示しない、ピストンシリンダー機構などの離接機構によって、図５の矢印で示したように、巻き取り原反ロール６２の巻き取られる壁紙Ａの表面Ｅに対して、押圧従動部を側方から離接することができる側方離接機構が構成されている。
【０２５０】
このように構成される巻き取りアシスト装置６０においても、糊がはみ出さない巻径（糊付長さ）までは、巻き取り原反ロール６２の巻き取り芯棒のみで巻き取りを行い、壁紙糊付巻き取り機１０（１００）の検尺、停止の制御機能を用いて、所定の糊付長さで一度停止させる。
【０２５１】
この状態で、巻き取りのアシストを行う手段である巻き取りアシスト装置６０の押圧従動部を構成するアシストベルト８２を、巻き取り原反ロール６２の表面（壁紙Ａの表面Ｅ）に押しつけて、所定の径（糊付長さ）まで糊付しながら巻き取るようになっている。
【０２５２】
この実施例の場合にも、アシストベルト８２の移動量の方が、巻き取り原反ロール６２の回転量よりも多くなるように、回転ローラー８０の回転関係を設計しておき、一定以上の回転負荷がアシストベルト８２にかかると、ロール部（すなわち、押圧従動部であるアシストベルト８２を駆動する駆動部）に対して、空回りしながらアシストするように構成するのが望ましい。
【０２５３】
これにより、巻き取りアシスト装置６０の押圧従動部であるアシストベルト８２が、押圧従動部（アシストベルト８２）に対して、一定以上の回転負荷がアシストベルト８２にかかると、ロール部（すなわち、押圧従動部であるアシストベルト８２を駆動する駆動部）に対して、空回りすることができるとともに、巻き取られる壁紙Ａの表面Ｅに対して、巻き取りアシスト装置６０の押圧従動部（アシストベルト８２）によって押しつける圧力により当接させて従動させることができる。
【０２５４】
このように構成することによって、巻き取り装置３４（１２４）で壁紙Ａをロール形状に巻き取る際に、巻き取られる壁紙Ａの表面Ｅに対して、すなわち、巻き取り装置３４（１２４）で巻き取られる壁紙Ａの巻き取り原反ロール６２の壁紙Ａの表面に対して、押圧しながら従動回転する押圧従動部であるアシストベルト８２を有する巻き取りアシスト装置６０を備えている。
【０２５５】
また、巻き取りアシスト装置６０が、巻き取られる壁紙Ａの表面Ｅに対して、巻き取りアシスト装置６０の押圧従動部であるアシストベルト８２を側方から離接することができる離接機構（側方離接機構）を備えているので、巻き取られる壁紙Ａの巻き取り径に追随して、この離接機構によって、押圧従動部であるアシストベルト８２を離接することによって、巻き取られる壁紙Ａの表面Ｅに対して、巻き取りアシスト装置６０の押圧従動部（アシストベルト８２）が一定の圧力で当接して従動することができる。
【０２５６】
従って、この巻き取りアシスト装置６０の押圧従動部であるアシストベルト８２が、巻き取り装置３４（１２４）で壁紙Ａをロール形状に巻き取る際に、巻き取られる壁紙Ａの表面Ｅに対して、すなわち、巻き取り装置３４（１２４）で巻き取られる壁紙Ａの巻き取り原反ロール６２の壁紙Ａの表面に対して、押圧しながら従動回転するため、巻き取るメートル数が大きくなっても、巻き取り芯棒によって、巻き取り原反ロール６２の中心付近の壁紙Ａに対して、巻き取りのための力が大きくかかることがなく、壁紙Ａが絞められることがなく、均一に巻き取ることができる。
【０２５７】
これにより、塗布した糊が壁紙Ａの両端部からはみ出したり、凸凹になってしまうことがなく、製品として優れた品質で、巻き取り芯棒を使用した巻き取りにおいて、大きな巻径まで巻き取りが可能である。
(実施例５)
【０２５８】
図６は、巻き取り装置３４（１２４）に付設された巻き取りアシスト装置６０の別の実施例を示す概略図である。
【０２５９】
図６に示したように、この実施例の巻き取りアシスト装置６０では、巻き取り装置３４（１２４）の巻き取り原反ロール６２の側方に、アシスト装置６０が設けられている。
【０２６０】
また、この実施例のアシスト装置６０では、図示しない駆動装置を内蔵したアシスト装置本体８４を備えており、このアシスト装置本体８４に、巻き取り原反ロール６２に側方から、図６の矢印で示したように、アシスト装置本体８４に内蔵された駆動装置によって、支持部材８６が伸長することによって離接可能に当接する、アシスト装置６０の押圧従動部である回転ローラー８６ａが備えられている。
【０２６１】
また、アシスト装置本体８４には、巻き取り原反ロール６２に上方向から、アシスト装置本体８４に内蔵された駆動装置によって、旋回することにより巻き取り原反ロール６２に対して離接することが可能な、上方レバー部材８８が設けられており、この上方レバー部材８８の先端に、アシスト装置６０の押圧従動部である回転ローラー８８ａが設けられている。
【０２６２】
さらに、アシスト装置本体８４には、巻き取り原反ロール６２に下方向から、アシスト装置本体８４に内蔵された駆動装置によって、旋回することにより巻き取り原反ロール６２に対して離接することが可能な、下方レバー部材９０が設けられており、この下方レバー部材９０の先端に、アシスト装置６０の押圧従動部である回転ローラー９０ａが設けられている。
【０２６３】
この場合、回転ローラー８６ａ、８８ａ、９０ａの幅は、壁紙Ａの幅と同一かそれ以上の幅とするのが、均一に巻き取るためには好ましい。
【０２６４】
また、この実施例の場合にも、回転ローラー８６ａ、８８ａ、９０ａの回転量の方が、巻き取り原反ロール６２の回転量よりも多くなるように、回転ローラー８６ａ、８８ａ、９０ａの回転関係を設計しておき、一定以上の回転負荷が回転ローラー８６ａ、８８ａ、９０ａにかかると、ロール部（すなわち、押圧従動部である回転ローラー８６ａ、８８ａ、９０ａを駆動する駆動部）で空回りしながらアシストするように構成するのが望ましい。
【０２６５】
これにより、巻き取りアシスト装置６０の押圧従動部である回転ローラー８６ａ、８８ａ、９０ａが、押圧従動部（回転ローラー８６ａ、８８ａ、９０ａ）に対して、一定以上の回転負荷がかかると、巻き取り装置３４（１２４）で巻き取られる壁紙Ａの巻き取り原反ロール６２の壁紙Ａの表面に対して、空回りすることができるとともに、巻き取られる壁紙Ａの表面Ｅに対して、巻き取りアシスト装置６０の押圧従動部（回転ローラー８６ａ、８８ａ、９０ａ）によって押しつける圧力により当接させて従動させることができる。
【０２６６】
このように構成することによって、巻き取り装置３４（１２４）で壁紙Ａをロール形状に巻き取る際に、巻き取られる壁紙Ａの表面Ｅに対して、すなわち、巻き取り装置３４（１２４）で巻き取られる壁紙Ａの巻き取り原反ロール６２の壁紙Ａの表面に対して、押圧しながら従動回転する押圧従動部である回転ローラー８６ａ、８８ａ、９０ａを有する巻き取りアシスト装置６０を備えている。
【０２６７】
また、巻き取りアシスト装置６０が、巻き取られる壁紙Ａの表面Ｅに対して、巻き取りアシスト装置６０の押圧従動部である回転ローラー８６ａ、８８ａ、９０ａを側方、上下方向から離接することができる離接機構（支持部材８６、上方レバー部材８８、下方レバー部材９０）を備えているので、巻き取られる壁紙Ａの巻き取り径に追随して、この離接機構によって、押圧従動部であるアシストベルト８２を離接することによって、巻き取られる壁紙Ａの表面Ｅに対して、巻き取りアシスト装置６０の押圧従動部（回転ローラー８６ａ、８８ａ、９０ａ）が一定の圧力で当接して従動することができる。
【０２６８】
従って、この巻き取りアシスト装置６０の押圧従動部である回転ローラー８６ａ、８８ａ、９０ａが、巻き取り装置３４（１２４）で壁紙Ａをロール形状に巻き取る際に、巻き取られる壁紙Ａの表面Ｅに対して、すなわち、巻き取り装置３４（１２４）で巻き取られる壁紙Ａの巻き取り原反ロール６２の壁紙Ａの表面に対して、押圧しながら従動回転するため、巻き取るメートル数が大きくなっても、巻き取り芯棒によって、巻き取り原反ロール６２の中心付近の壁紙Ａに対して、巻き取りのための力が大きくかかることがなく、壁紙Ａが絞められることがなく、均一に巻き取ることができる。
【０２６９】
これにより、塗布した糊が壁紙Ａの両端部からはみ出したり、凸凹になってしまうことがなく、製品として優れた品質で、巻き取り芯棒を使用した巻き取りにおいて、大きな巻径まで巻き取りが可能である。
【０２７０】
なお、この実施例では、巻き取りアシスト装置６０の押圧従動部として、３つの回転ローラー８６ａ、８８ａ、９０ａを設けたが、この回転ローラーの数は、特に限定されるものではなく、単数であっても良く、また、２つ以上の複数であっても良い。
なお、回転ローラーを多く設置するとコスト高にはなるが、壁紙Ａに塗布した糊の均一性を保つには、回転ローラーの本数は、多い方が良い。
【０２７１】
以上、本発明の好ましい実施の態様を説明してきたが、本発明はこれに限定されることはなく、例えば、図示しないが、アシストベルトと回転ローラーを組み合わせて、巻き取り原反ロール６２に対して離接するように構成することも可能である。
【０２７２】
また、図示しないが、特許文献１（特許第４３２１７７１号公報）に開示したように、陳列棚に多段に多数列陳列した壁紙Ａを陳列した位置まで、本発明の壁紙糊付巻き取り機１０（１００）を、移動用キャスター１２（１１２）を用いて、または、レール上を移動するようにして、陳列した壁紙Ａを陳列棚から引き出して、本発明の壁紙糊付巻き取り機１０（１００）を用いて糊付し、乾燥防止用フィルムＢ、カットテープＣを貼るように構成することも可能であるなど本発明の目的を逸脱しない範囲で種々の変更が可能である。
【産業上の利用可能性】
【０２７３】
本発明は、壁紙（クロス）の裏面に、例えば、天井、壁面に貼着するための糊を、自動的に塗布し、壁紙の糊付面が乾燥しないように、フィルムを糊付面に貼り付けた状態で、ロール形状に巻き取るための壁紙糊付巻き取り機に適用することができる。
【符号の説明】
【０２７４】
１０    壁紙糊付巻き取り機
１２    移動用キャスター
１４    架台フレーム
１６    中央フレーム
１８    壁紙糊付機本体
２０    後方フレーム
２１    下方フレーム
２２    壁紙原反ロール
２３    乾燥防止用フィルム原反ロール
２４    案内ローラー
２５    下方フレーム
２６    送り出しローラー
２７    把手
２８    検尺ローラー
３０    カットテープ原反ロール
３２    前方フレーム
３４    巻き取り装置
３６    本体フレーム
３８    上部フレーム
４０    下部フレーム
４１    糊付装置
４２    係止具
４４    ハイテンションローラー
４６    糊付ローラー
４８    糊上ローラー
５０    ドクターローラー
５２    押えローラー
５４    ナラシローラー
５５    糊収容タンク（糊箱）
５６    カッターガイド
５７    制御ボックス
５８ａ    ピボット軸
６０    アシスト装置
６２    巻き取り原反ロール
６４    駆動プーリー
６５、６６    プーリー
６８    駆動ベルト
７０    レバー部材
７２    回転ローラー
７４    アシストベルト
７６    回転支持部材
７８    駆動ローラー
８０    回転ローラー
８２    アシストベルト
８４    アシスト装置本体
８６    支持部材
８６ａ    回転ローラー
８８    上方レバー部材
８８ａ    回転ローラー
９０    下方レバー部材
９０ａ    回転ローラー
１００    壁紙糊付巻き取り機
１０２    移動用キャスター
１０４    架台フレーム
１０６    中央フレーム
１０８    壁紙糊付機本体
１１０    前方フレーム
１１１    後方フレーム
１１２    壁紙原反ロール
１１３    乾燥防止用フィルム原反ロール
１１４    案内ローラー
１１５    下方フレーム
１１６    送り出しローラー
１１８    検尺ローラー
１２０    カットテープ原反ロール
１２４    巻き取り装置
１２５    糊収容タンク（糊箱）
１２６    本体フレーム
１２８    上部フレーム
１３０    下部フレーム
１３１    糊付装置
１３２    係止具
１３４    ハイテンションローラー
１３６    糊付ローラー
１３８    糊上ローラー
１４０    ドクターローラー
１４２    押えローラー
１４４    ナラシローラー
１４６    テーブル
１４６ａ    テーブルフレーム
１４６ｂ    テーブル
１４８    テーブル
１５０    ステー
１５２    制御ボックス
１５４    フットスイッチ
２００    壁紙糊付巻き取り機
２０２    移動用キャスター
２０４    架台フレーム
２０６    中央フレーム
２０８    壁紙糊付機本体
２１０    後方フレーム
２１１    下方フレーム
２１２    壁紙原反ロール
２１３    乾燥防止用フィルム原反ロール
２１４    案内ローラー
２１５    下方フレーム
２１６    送り出しローラー
２１８    検尺ローラー
２２０    カットテープ原反ロール
２２１    把手
２２２    前方フレーム
２２４    巻き取り装置
２２５    糊収容タンク（糊箱）
２２６    本体フレーム
２２８    上部フレーム
２３０    下部フレーム
２３１    糊付装置
２３２    係止具
２３４    ハイテンションローラー
２３６    糊付ローラー
２３８    糊上ローラー
２４０    ドクターローラー
２４２    押えローラー
２４４    ナラシローラー
３００    壁紙糊付巻き取り機
３０２    移動用キャスター
３０４    架台フレーム
３０６    中央フレーム
３０８    壁紙糊付機本体
３１０    前方フレーム
３１１    後方フレーム
３１２    壁紙原反ロール
３１３    乾燥防止用フィルム原反ロール
３１４    案内ローラー
３１５    下方フレーム
３１６    送り出しローラー
３１８    検尺ローラー
３２０    カットテープ原反ロール
３２４    巻き取り装置
３２５    糊収容タンク（糊箱）
３２６    本体フレーム
３２８    上部フレーム
３３０    下部フレーム
３３１    糊付装置
３３２    係止具
３３４    ハイテンションローラー
３３６    糊付ローラー
３３８    糊上ローラー
３４０    ドクターローラー
３４２    押えローラー
３４４    ナラシローラー
３４６    テーブル
３４６ａ    テーブルフレーム
３４６ｂ    テーブル
３４８    テーブル
３５０    ステー
３５２    制御ボックス
３５４    フットスイッチ
４００    巻き取り装置
４０２    ワインダーロール
４０４    巻取りロール
４０６    コアチャック
４０８    ライダーロール
Ａ    壁紙
Ｂ    乾燥防止用フィルム
Ｃ    カットテープ
Ｄ    裏面
Ｅ    表面
Ｓ    原反シート
Ｘ    壁紙切断位置
【図１】
0006677384.tif 000002
【図２】
0006677384.tif 000003
【図３】
0006677384.tif 000004
【図４】
0006677384.tif 000005
【図５】
0006677384.tif 000006
【図６】
0006677384.tif 000007
【図７】
0006677384.tif 000008
【図８】
0006677384.tif 000009
【図９】
0006677384.tif 000010
【図１０】
0006677384.tif 000011